(57)【要約】【課題】ベースと、給排気弁と、受け台と、駆動装置組と、上板と、を備えるクランクシャフトとエアバルブを有しない４行程機関を提供する。【解決手段】各シリンダーに内設するピストンが駆動装置組を駆動することによって、ピストンに接続する押し棒が上下に往復運動し、押し棒に連結する十字型回転ロッキングアームを駆動し、十字型回転ロッキングアームがクランクジャーナルを回転駆動して、往復運動を回転運動の機関機構に変えて動力を出力し、さらに、動力を出力と共に十字型回転ロッキングアームが駆動装置組のギヤ組を併せて駆動し、ギヤ組は駆動装置の底部に設ける給排気弁を連動することによって、３６０度その位置にて回転作動し、ベース内部にて吸気と排気行程とを実現し、給排気弁が回転し続けることと特殊なタイミング設計とを併せて本発明の機関を駆動して、吸気、圧縮、燃焼と排気の連続した４行程の循環稼働を行い、クランクシャフトが不要のみならず、クランクシャフト機構に必要の複雑な給排気弁の開閉構造の使用を省略できる。【選択図】図２
2014088777.tif 000002
【特許請求の範囲】
【請求項１】
クランクシャフトとエアバルブを有しない４行程機関であって、
吸排気溝と、前記給排気溝を中心点として輪状に釣り合う２つのシリンダーとを開け、内部は前記給排気溝と２つ前記のシリンダーに連絡する給排気口を開け、前記給排気溝の側壁と底部はそれぞれ外部に連絡する空気入力穴と空気排出穴とを開け、上面はその底部が前記給排気溝と２つ前記のシリンダーとを蓋締め可能な受け台を設けられ、ベースプレートはそれぞれ２つ前記のシリンダーに連絡するとおり穴と、軸受穴と、複数の穴部とを開けるベースと、
一端は円形を形成し、その上端表面の中央場所はコンロッドに連結し、前記給排気溝に内設していて、給排気口と前記空気入力穴に連絡する空気入口と、前記空気出力穴に連絡する空気出口と、を設け、前記空気入口と前記空気出力口は９０度の挟み角を形成し、上方に備える前記コンロッドは前記ベースプレートの前記軸受穴を貫いて、かつ前記軸受穴に内設する滑り軸受とを結合した後、駆動装置に備えるギヤ組の作動ギヤとを串刺し接続により結合できる吸排気弁と、
前記ベースの上端に連結し、四方形の中空状を形成していて、前記ベースプレートにてそれぞれ２つのシリンダーに連絡する通り穴と、軸受穴と、複数の穴とを開け、中空状の内部に前記ギヤ組と駆動装置組とを収容できる受け台と、
それぞれ２つのピストンに連結する２つの押し棒と、２つの前記押し棒の上端に連結する十字型回転ロッキングアームと、２つの前記十字型回転ロッキングアームの上端に連結するクランクジャーナルと、前記十字型回転ロッキングアーム底へりに連結するギヤ組と、を含み、前記押し棒の下端は前記シリンダーの穴径に対応する前記ピストンを設け、前記ピストンは前記受け台の底部を介して、それぞれ２つの前記シリンダーの内部に穿設し、前記十字型回転ロッキングアームは２つの収容空間を有する管体と、一端をそれぞれ２つの前記収容空間内部に穿設し、他端はさらにそれぞれ２つの前記押し棒の上端に備える２つの支軸と、一端を前記管体の上端に連結し、他端は第１開口部内部に内設する前記クランクジャーナルの第１案内棒に穿設して固定し、一端を前記管体の底ヘリに連結していて、かつ前記第１案内棒と釣り合う第２案内棒に穿設して、前記十字型回転ロッキングアームの十字型態様を形成し、前記管体にてそれぞれ２つの前記収容空間に連絡する通気穴を開けることによって、前記支軸は前記収容空間内部にて往復に伸縮でき、前記ギヤ組は両端が前記受け台の底部に連絡し前記収容空間を形成する板部材と、それぞれ前記板部材上部の内外面を穿設し、かつ同軸にある上部ギヤと下部ギヤはそれぞれ独立に回転軸を介して前記板部材上部の内外面に連結し、それぞれ上部ギヤと下部ギヤに歯合する駆動ギヤと作動ギヤに隣設し、前記駆動ギヤにて第１傾斜棒に対応していて、かつ傾斜状を形成する第２傾斜棒を凸設し、前記第２傾斜棒に第２開口部を開けられ、第２案内棒の末端部の穿設に提供する第２ころ軸受を設け、前記作動ギヤの回転軸を前記給排気弁に備える前記コンロッドの上端に連結することによって、前記駆動ギヤが２回転したとき、前記上部ギヤと前記下部ギヤを介して回転する前記作動ギヤが減速して１回転にとどまり、すなわち、前記ギヤ組によって、前記クランクジャーナルまたは前記十字型回転ロッキングアームと、前記給排気弁との間の回転速度比値を制御していて、かつその比値は≧２倍であり、前記クランクジャーナルは、相互に垂設された縦棒と横棒を連結してなり、前記縦棒は前記軸受を介して前記上板の外部を貫いて垂設し、前記横棒は前記上板の下方に位置し、前記横棒の一端は傾斜状の第１傾斜棒を形成し、前記第１傾斜棒にて第１開口部を設け、前記第１ころ軸受を収容でき、前記ギヤ組の末端部は前記給排気弁の前記コンロッドに連結する駆動装置組と、
周辺部は前記受け台の上端に連結し、軸方向は前記受け台と前記ベースに穿設する固定棒を設け、前記駆動装置に備える前記クランクジャーナルの上端を外部に穿設する上板と、を備え、
前述構造により、本発明の機関が稼働するとき、複数の前記シリンダーは順を追って前記駆動装置組の前記ピストンを駆動し、前記ピストンに接続された前記押し棒が上下に往復運動し始め、前記押し棒に接続された十前記字型回転ロッキングアームを駆動し、前記十字型回転ロッキングアームが前記クランクジャーナルを回転駆動することをもって、往復運動を回転運動の機関機構に変えて動力を出力し、前記クランクジャーナルの駆動により動力出力を出力すると共に、前記十字型回転ロッキングアームが前記駆動装置組の前記ギヤ組を併せて駆動し、前記ギヤ組が前記駆動装置の底部に設ける前記給排気弁を連動することによって、３６０度にその位置にて回転作動による回転稼働し、前記ベース内部にて吸気と排気行程とを行い、前記給排気弁が回転し続けることと特殊な吸気、排気タイミング設計とを併せて本発明の機関を駆動して、吸気、圧縮、燃焼と排気の連続した４行程の循環作動を行い、クランクシャフトが不要のみならず、クランクシャフト機構に必要の複雑な給排気弁の開閉構造の使用を省略できる長所を有することを特徴とするクランクシャフトとエアバルブを有しない４行程機関。
【請求項２】
前記固定棒と前記ベースの直方向の長さにより、順を追って前記クランクジャーナル、前記十字形回転ロッキングアームと前記押し棒を介して、前記上板と間接的に連結する前記ピストンが前記シリンダー内部の制限高さを決定し、前記シリンダーに多種類の圧縮比をもたせて、機関が各種の燃料を使用可能にすることを特徴とする、請求項１記載のクランクシャフトとエアバルブを有しない４行程機関。
【請求項３】
前記機関はガソリン燃料またはディゼール燃料とも適用でき、前記機関がガソリン燃料を使用する場合、前記機関の前記シリンダー内部に前記点火プラグを設けることを特徴とする、請求項１記載のクランクシャフトとエアバルブを有しない４行程機関。
【発明の詳細な説明】
【技術分野】
【０００１】
本発明は構造を単純化し往復運動を回転運動に変える機関機構によって動力を出力するロータリエンジン機構に関し、特にベースに設ける給排気溝の内部にて３６０度回転可能な回転式給排気弁と、特殊な給排気タイミングの設計とを合わせて利用し、かつ駆動装置組に内設される十字型回転ロッキングアームとクランクジャーナルの動作との組み合わせにより、ギヤ組間の回転減速比設計によって、機関の吸気、圧縮、燃焼と排気の４行程の循環作動を達成できるクランクシャフトとエアバルブを有しない４行程機関に関する。
【背景技術】
【０００２】
現在の機関の循環行程は２つまたは４つの行程（すなわち、２行程または４行程）にほかならない。さらに、機関はクランクシャフトより動力を発生される。すなわち、クランクシャフトが機関全体の動力出力軸となる。しかし、クランクシャフトは先端部から末端部まで実直の軸体ではなく、ピストンが上下の往復運動を回転運動に変えるため、クランクシャフトはピストンの数に合わせた屈折状の軸を形成されている。よって、ピストンが上下に往復運動するとき、しばしばクランクシャフトの屈折部に偏心を引き起し、ピストンが偏ったまま上下に往復運動すると、ピストンに横力がかかってしまい、シリンダーとの触れ合うことによって、ピストンが長期の摩擦によって損傷される。
【０００３】
さらに、公知機関の内部に複数組のエアバルブ組を取り付けしなければ、シリンダーに吸気、圧縮、燃焼と排気の行程を提供することはできない。機関の構造から言えば、やや複雑である。
【発明の概要】
【課題を解決するための手段】
【０００４】
本発明の主な目的は、クランクジャーナルまたは十字型回転ロッキングアームと給排気弁相互の連動が一定の回転速度比を形成するギヤ組構造を制御することによって、給排気弁が継続に回転し、かつ継続的に複数のシリンダーに吸気、排気行程を稼働し、機関の吸気、圧縮、燃焼と排気４つの行程の循環動作を実現する、クランクシャフトとエアバルブを有しない４行程機関の提供を目的と提供する。
【０００５】
本発明つぎの目的は、ギヤ組構造による特殊な減速行程を経て、ギヤ組の内部に連結する作動ギヤの給排気弁がベース内部にて３６０度その位置にて回転動作する回転方式の特徴を有するほか、ベース内部にて吸気と排気行程を行うことができ、さらに、十字型回転ロッキングアームの回転速度比≧２倍の給排気弁の回転速度比が得られる、クランクシャフトとエアバルブを有しない４行程機関の提供を目的と提供する。
【０００６】
本発明さらに一つの目的は、回転式動力出力の機関構造において、ピストンとピストンに連結する押し棒が上下に往復運動を形成するため、横力をかけず、ピストンとシリンダーとの磨耗を完全に避けられ、機関の使用寿命を延長できる、クランクシャフトとエアバルブを有しない４行程機関の提供を目的と提供する。
【０００７】
本発明また一つの目的は固定棒と受け台の直方向の適切長さを選択し、順を追って、クランクジャーナル、十字型回転ロッキングアームと押し棒が上板と間接的に連結するピストンのシリンダー内部の制限高さを決定し、シリンダーに多種類の圧縮比をもたせて、機関はガソリンまたはディゼール油を使用できる、クランクシャフトとエアバルブを有しない４行程機関の提供を目的と提供する。
【０００８】
前述目的に基づき、本発明のクランクシャフトとエアバルブを有しない４行程機関は、ベースと、給排気弁と、受け台と、駆動装置組と、上板と、を備える。
【０００９】
前述ベースは吸排気溝と、給排気溝を中心点とした釣り合いの２つのシリンダーと、を開け、ベースの内部は給排気溝と２つのシリンダーに連絡する給排気口を開け、給排気溝の側壁と底部はそれぞれ外部に連絡する空気入力穴と空気排出穴を開け、ベースの上面にその底部が給排気溝と２つのシリンダーを蓋締め可能な受け台を設け、ベースプレートはそれぞれ２つのシリンダーに連絡するとおり穴と、軸受穴と、複数の穴部とを開けられている。
【００１０】
前述給排気弁は給排気溝に内設し、給排気弁にて空気出入口と空気入力穴とを連絡する空気入口及び空気出力穴に連絡する空気出口と、を開けている。そのうち、給排気弁の上方は受け台の底部を穿設していて、かつ給排気弁を回転させることができるコンロッドを設けられている。
【００１１】
受け台はベースの上端に連結し、受け台は四方形の中空状を形成していて、ベースプレートにてそれぞれ２つのシリンダーに連絡する通り穴と、軸受穴と、複数の穴とを開けられ、中空状の内部はギヤ組と駆動装置組とを収容できる。
【００１２】
前述駆動装置組はそれぞれ２つのピストンに連結する２つの押し棒と、２つの押し棒の上端に連結する十字型回転ロッキングアームと、十字型回転ロッキングアームの上端に連結するクランクジャーナルと、ロッキングアーム底へりに連結するギヤ組とを含む。そのうち、押し棒の下端はベースプレートを介して、それぞれ複数のシリンダーに穿設していて、かつ押し棒の下端はシリンダーの穴径に対応するピストンを設け、ギヤ組の末端部は給排気弁のコンロッドに連結されている。
【００１３】
前述上板の周辺部は受け台の上端に連結し、上板は軸方向から受け台とベースに穿設する固定棒を設け、ナットを利用して締め付けることができ、前述駆動装置に備えるクランクジャーナルの上端を上板の外部に穿設する。
【００１４】
前述構造から分かるように、本発明は主に給排気弁を利用しシリンダーにて吸気、圧縮、燃焼と排気行程を通じて、各シリンダーに内設するピストンと、ピストンに連結する押し棒を上下に往復運動することができる。
【００１５】
引き続き、ピストンと押し棒が上下に往復運動するとき、十字型回転ロッキングアームが押し棒の動作に追随して伸縮、揺動すると共に、十字型回転ロッキングアーム上下端それぞれに連結されるクランクジャーナルとギヤ組も十字型回転ロッキングアームの揺動経路に追随して回転する。一方、ギヤ組が回転するときは給排気弁に取り付けられたコンロッドを同時に作動させ、給排気弁が吸気と排気すると共に、コンロッドによって継続に回転される。そのうち、ギヤ組によってクランクジャーナルまたは十字型回転ロッキングアームと給排気弁間の回転速度比値の制御を提供し、かつ当該回転速度比は≧２倍である。
【００１６】
ピストンと押し棒と給排気弁がピストンの駆動によって往復運動すると、給排気弁は間接的に押し棒を介して十字型回転ロッキングアームと、ギヤ組と、コンロッドを駆動回転し、複数のピストンは給排気弁によって、吸気、圧縮、燃焼、排気の行程を継続的に稼働し、機関の吸気、圧縮、燃焼及び排気４つの行程による循環作動を行う。
【００１７】
前述固定棒と受け台の直方向の長さは順を追って、クランクジャーナルと、十字型回転ロッキングアームと、押し棒が上板と間接的に連結するピストンのシリンダー内部の制限高さを決定し、シリンダーに多種の圧縮比を持たせて、機関がガソリンまたはディゼール油の使用に適する。そのうち、機関の燃料にガソリンをした場合、シリンダーの内部に点火燃焼するための点火プラグを内設される。
【発明の効果】
【００１８】
以下の説明から分かるように、本発明は以下の長所を有する。
【００１９】
イ、             本発明はピストンと押し棒による上下の往復運動を利用し、押し棒に連結するコンロッドの支軸と、十字型回転ロッキングアームとを駆動し、十字型回転ロッキングアームがクランクジャーナルを駆動回転して、往復運動を回転運動に変える機関構造を形成する。
【００２０】
ロ、             本発明はクランクジャーナルまたは十字型回転ロッキングアームと給排気弁との回転速度比値を制御することによって、給排気弁がシリンダーに対して、吸気または排気行程を実行し、シリンダーのピストンが循環的に吸気、圧縮、燃焼、排気４つの行程の作動ができる。
【００２１】
ハ、             本発明は固定棒と受け台の直方向長さによって、ピストンのシリンダー内部における制限高さを決定することができ、シリンダーに多種の圧縮比を持たせて、機関が各種の燃焼を適用できる。
【００２２】
二、             本発明によるピストンとピストンに接続される押し棒は上下に往復運動するため、横力を発生せず、ピストンとシリンダーとの触れ合いによる磨耗を完全に避け、機関の使用寿命を延長できる。
【図面の簡単な説明】
【００２３】
【図１Ａ】本発明実施例１のベースの概略図（その１）である。
【図１Ｂ】本発明実施例１のベースの概略図（その２）である。
【図２】本発明の機関構造の分解図である。
【図３】本発明の機関構造の組み合わせ図である。
【図４】本発明の吸排気弁による空気吸入、排気行程制御を示す図である。
【図５Ａ】図４による機関作動の正面図（その１）である。
【図５Ｂ】図４による機関作動の正面図（その２）である。
【図６】図４による機関作動の側面図である。
【図７】本発明の吸排気弁によるシリンダー圧縮、吸気行程制御を示す図である。
【図８】図７による機関作動の正面図である。
【図９】本発明の吸排気弁によるシリンダー燃焼、圧縮行程制御を示す図である。
【図１０】図９による機関作動の正面図である。
【図１１】本発明の吸排気弁によるシリンダー排気、燃焼行程制御を示す図である。
【図１２】図１１による機関作動の正面図である。
【図１３】本発明によるシリンダー圧縮比制御を示す図である。
【図１４】シリンダーに点火プラグを取り付けることを示す図である。
【発明を実施するための形態】
【実施例１】
【００２４】
図１Ａ、１Ｂ、２と３、本発明実施例１のベースの概略図と、本発明の機関構造の分解図と、本発明の機関構造の組み合わせ図とを参照する。本発明のクランクシャフトとエアバルブを有しない４行程機関のベースプレートの概略図（その１、その２）と、機関構造の分解図と、機関構造の組み合わせ図とを参照する。機関はベース１と、給排気弁２と、受け台１６と、駆動装置組３と、上板４と、を備える。実施例１はディゼール燃料に適している。
【００２５】
そのうち、図１Ａ、１Ｂと２、ベース１を参照する。ベース１にて給排気溝１０と、給排気溝１０を中心として輪状に釣り合って設けるシリンダー１１、１１’（本発明は２つのシリンダー１１、１１’を例示する）とを設けられ、ベース１の内部は給排気溝１０とシリンダー１１、１１’とを連絡する給排気口１２、１２’を開けられ、給排気溝１０の側壁及び底部はそれぞれベース１の外部に連結する空気入力穴１３と空気出力穴１４とをそれぞれ開ける。そのうち、ベース１の上面は締付具１５によって、受け台１６のベースプレート１６２をベース１の上面に締め付けることによって、ベース１の給排気溝１０とシリンダー１１、１１’とをベースプレート１６２に覆い被せることができ、給排気溝１０の上端にワッシャ１７を設け、給排気溝１０を受け台１６によって密封させる。
【００２６】
図２、給排気弁２を参照する。給排気弁２を給排気溝１０に内設し、給排気弁２は給排気口１２、１２’と空気入力穴１３に連絡する空気入口２０と、空気出口１４に連絡する空気出口２１とを開けられている。そのうち、給排気弁２の空気入口２０と空気出口２１が９０度の挟み角を形成し、給排気弁２の上方にて軸受２３（例えば、スラスト軸受）を介しベースプレート１６２を貫いていて、給排気弁２を回転駆動できるコンロッド２２を設けられている。
【００２７】
図２、受け台１６を参照する。受け台１６はベース１の上端に連設し、受け台１６は四方形の中空状を形成し、ベースプレート１６２にそれぞれ２つのシリンダーに連絡する通り穴１６０、１６０’と、軸受穴１６１、１６１’と、複数の穴とを開けられ、中空状の内部にギヤ組３４と駆動装置組３とを収容されている。
【００２８】
図２、駆動装置組３を参照する。駆動装置組３はそれぞれ２つのピストン３１、３１’に連結する２つの押し棒３０、３０’（押し棒３０、３０’の上端は受け台１６のベースプレート１６２に開けられた軸受穴１６１、１６１’を介して、それぞれシリンダー１１、１１’の内部に穿設し、押し棒３０、３０’の上端は軸受穴１６１、１６１’に内設する滑り軸受１６３によって、安定して上下に移動し、さらに、押し棒３０、３０’の底面はそれぞれシリンダー１１、１１’の穴径二対応するピストン３１、３１’を設ける。）と、２つの押し棒３０、３０’の上端に連結する十字型回転ロッキングアーム３２と、十字型回転ロッキングアーム３２の上端に連結するクランクジャーナル３３と、十字型回転ロッキングアーム３２の底へりに連絡するギヤ組３４とを設ける。そのうち、前述クランクジャーナル３３は互いに垂設される縦棒３３０と横棒３３１とを連結してなり、横棒３３１の一端は傾斜状の第１傾斜棒３３２を形成し、第１傾斜棒３３２は第１開口部３３４を有し、第１開口部３３４に第１ころ軸受３３３を内設する。前述十字型回転ロッキングアーム３２は２つの収容空間３２０１、３２０１’を備える管体３２０と、一端はそれぞれ２つの収容空間３２０１、３２０１’の内部に穿設していて、他端はそれぞれ２つの押し棒３０、３０’上端に備える２つの支軸３２１、３２１’（押し棒３０、３０’と支軸３２１、３２１’との間は枢軸３２２、３２２’によってリベット接合し、枢転自在を形成する。）に連結し及び一端は管体３２０の上端に連結する及び他端は第１開口部３３４に内設する第１ころ軸受３３３の第１案内棒３２３（第１案内棒３２３と第１ころ軸受３３３とを枢転自在を形成する。）に穿設し固定すると、一端を管体３２０の底へりに連結していて、かつ第１案内棒３２３と釣り合う第２案内棒３２４とを合わせて、十字型回転ロッキングアーム３２を十字態様に形成し、管体３２０にてそれぞれ２つの収容空間３２０１、３２０１’に連絡する通気穴３２０２、３２０２’を開け、支軸３２１、３２１’が収容空間３２０１、３２０１’にて往復に伸縮するとき、収容空間３２０１、３２０１’内部の気体の排出を助けることができる。前述ギヤ組３４は両端部を受け台１６のベースプレート１６２に連結して、収容空間３４０を形成する板部材３４１と、それぞれ板部材３４１上部の内外面を穿設していて、かつ同じ軸にある上部ギヤ３４２と下部ギヤ３４３がそれぞれ回転軸３４４、３４４’を介して、板部材３４１上部の内外面に連結し、さらに上部ギヤ３４２と下部ギヤ３４３に歯合する駆動ギヤ３４５と作動ギヤ３４６とを連結する。そのうち、駆動ギヤ３４５に第１傾斜棒３３２に対応した傾斜状の第２傾斜棒３４７を凸設し、第２傾斜棒３４７に第２開口部３４９を開け、第２ころ軸受３４８を収容し、第２案内棒３２４の末端部を第２ころ軸受３４８に穿設し（第２案内棒３２４と第２ころ軸受３４８との旋転自在状態を形成。）、作動ギヤ３４６の回転軸３４４’は給排気弁２に備えるコンロッド２２の上端に連結することによって、駆動ギヤ３４５が２回転した後、上部ギヤ３４２と下部ギヤ３４３を介して回転される作動ギヤ３４６がちょうど一回転する。すなわち、ギヤ組３４はクランクジャーナル３３または十字型回転ロッキングアーム３２と給排気弁２の回転速度比制御を提供し、かつ回転速度比の値≧は２倍である。
【００２９】
図２、上板４を参照する。上板４の周辺部は受け台１６の上端に連結し、上板４は軸方向に受け台１６とベース１に穿設する固定棒４０とを穿設し、ナット４２を利用して締め付け固定する。そのうち、前述クランクジャーナル３３の縦棒３３０は上板４の外部に穿設していて、かつ縦棒３３０と上板４との間は軸受４１（たとえば、スラスト軸受）を利用し相互に固定することによって、縦棒３３０は軸方向回転しか許されない。
【００３０】
これにより、ベース１と、給排気弁２と、受け台１６と、駆動装置組３と、上板４と、を組立完了後、駆動装置組３の順調な作動を図るため、受け台１６の内部に潤滑油を充填する。
【００３１】
図４ないし６、本発明の吸排気弁による空気吸入、排気行程制御を示す図と、図４による機関作動の正面図と、図４による機関作動の側面図とを参照する。図４から分かるように、本発明の機関が稼働を開始すると、給排気弁２の空気入口２０と空気出口２１はそれぞれシリンダー１１の給排気口１２と、シリンダー１１’の給排気口１２’と向き合い空気は順を追って、ベース１の空気入力穴１３と、給排気弁２の空気入口とシリンダー１１の給排気口１２を通過し、シリンダー１１内部に進入し、シリンダー１１’内部の気体は順を追って、給排気弁２の空気出口２１、シリンダー１１’の給排気口１２’とベース１の空気排出穴１４を通過して排出して、給排気弁２が同時にシリンダーシリンダー１１の空気吸入とシリンダー１１’の排気を行うことができる。
【００３２】
図５Ａ、５Ｂ及び６、図４による機関作動の正面図と、図４による機関作動の側面図とを参照する。図から明かのように、空気はシリンダー１１の給排気口１２を介してシリンダー１１内部に送り込み、空気は順を追って、シリンダー１１内部のピストン３１と押し棒３０を上方に押し込む一方、シリンダー１１’内部の空気はシリンダー１１’の給排気口１２’より排出し、ピストン３１’と押し棒３０’がシリンダー１１’の内部において、下方に押し込まれる。そのうち、ピストン３１と、押し棒３０と、ピストン３１’と、押し棒３０’とはそれぞれシリンダー１１、１１’内部に上下して往復運動できる理由は、主にピストン３１と、押し棒３０と、ピストン３１’と、押し棒３０’とはそれぞれシリンダー１１、１１’の内部にて押出しまたは引き込むとき、それぞれピストン３１、３１’上方に位置するシリンダー１１、１１’内部の空気は、それぞれとおり穴１６０、１６０’を介して、排出または吸入によって、ピストン３１と、押し棒３０と、ピストン３１’と、押し棒３０’とはそれぞれ垂直してシリンダー１１、１１’の内部に運動される。これにより、押し棒３０に連結する支軸３２１は順を追って、内向き及び外向きにして収容空間３２０１の内部にて往復運動し、一方、押し棒３０’に連結する支軸３２１’は、押し棒３０’を介し順を追って、内向き及び外向きして収容空間３２０１’の内部にて往復運動する。そのうち、支軸３２１、３２１’はそれぞれ収容空間３２０１、３２０１’にて往復運動できる理由は、主に支軸３２１、３２１’がそれぞれ収容空間３２０１、３２０１’の内部にて押出しまたは引き込むとき、収容空間３２０１、３２０１’内部の空気はそれぞれ通気穴３２０２、３２０２’を介して排出または吸入し、支軸３２１、３２１’がそれぞれ収容空間３２０１、３２０１’の内部にて往復運動できる。さらに、支軸３２１、３２１’がそれぞれ収容空間３２０１、３２０１’にて往復運動すると同時に、管体３２０に備える第１案内棒３２３がクランクジャーナル３３に備える第１傾斜棒３３２の第１ころ軸受３３３の制限を受けるため、第１案内棒３２３が第１傾斜棒３３２と、横棒３３１と、縦棒３３０とを連動して逆時計方向に回転し、回転エネルギーを形成する。
【００３３】
第１案内棒３２３が回転するとき、第１案内棒３２３に対応し管体３２０の下端に連結する第２案内棒３２４も同じく第１案内棒３２３に対応して逆時計方向に回転し、第２ころ軸受３４８を介して連結する第２傾斜棒３４７末端部の駆動ギヤ３４５を連動し逆時計方向に回転することによって、駆動ギヤ３４５は順を追って、上部ギヤ３４２と、下部ギヤ３４３と、作動ギヤ３４６とを同時に連動し、作動ギヤ３４６と同時に回転する回転軸３４４’が給排気弁２のコンロッド２２を連動して逆時計方向に回転する。
【００３４】
以上から分かるように、給排気弁２は吸気、排気行程と同時に、それぞれ上向き、下向きに作動するコンロッド３０、３０’は十字型回転ロッキングアーム３２を連動して揺動し、クランクジャーナル３３に回転エネルギーを形成すると共にギヤ組３４を作動させ、給排気弁２に連結するコンロッド２２を駆動することによって、給排気弁２は吸気、排気行程と同時に逆時計方向に回転することができる。
【００３５】
前述押し棒３０、３０’はそれぞれ上向きと下向きに押し込むとき、横力を発生せず、ピストン３１、３１’及びシリンダー１１、１１’と相互に触れ合うことを完全に避け、機関の使用寿命を延長できる。
【００３６】
図７と８、本発明の吸排気弁によるシリンダー圧縮、吸気行程制御を示す図と、図７による機関作動の正面図とを参照する。シリンダー１１、１１’がそれぞれ吸気と排気行程を完了した後、給排気弁２は引き続き逆時計方向に回転し、給排気弁２の回転態様は、図７にされる理由は、主にシリンダー１１’の給排気口１２’が給排気弁２の空気入口２０に連絡していて、空気をシリンダー１１’の内部に送り込む一方、シリンダー１１の給排気口１２は給排気弁２の外壁に遮られているため、シリンダー１１の密閉態様を形成する。
【００３７】
図８に示すように、空気がシリンダー１１’の給排気口１２’を介してシリンダー１１’内部に進入した後、空気が順を追って、シリンダー１１’内部のピストン３１’と押し棒３０’とを上方の押し込むと同時に、シリンダー１１’と対応するシリンダー１１の給排気口１２’は給排気弁２の外壁の制限を受けるため密閉態様を形成し、シリンダー１１内部のピストン３１と押し棒３０は下方にシリンダー１１内部の空気を圧縮し、押し棒３０’、３０はそれぞれ上向きと下向きに押し込むと同時、押し棒３０に接続する支軸３２１は順を追って、内向きと外向きに収容空間３２０１の内部にて往復運動する一方、押し棒３０’に連結する支軸３２１’は押し棒３０’を介し順を追って、内向きと外向きに収容空間３２０１’の内部にて往復運動する。さらに、支軸３２１、３２１’がそれぞれ収容空間３２０１、３２０１’の内部にて往復運動と共に、管体３２０に備える第１案内棒３２３も併せてクランクジャーナル３３を連動回転する。連動方式は前述に同じため、ここでの説明を省略する。
【００３８】
前述するとおり、第１案内棒３２３の回転により、追随して揺動する十字型回転ロッキングアーム３２が揺動すると同時に、ギヤ組３４と給排気弁２を併せて連動することによって、シリンダー１１’、１１がそれぞれ吸気と圧縮行程を実行するとき、給排気弁２も合わせて逆時計方向に回転し、十字型回転ロッキングアーム３２によるギヤ組３４と給排気弁２の駆動方式は、前述に同じため、ここでの説明を省略する。
【００３９】
図９と１０、本発明の吸排気弁によるシリンダー燃焼、圧縮行程制御を示す図と、図９による機関作動の正面図とを参照する。シリンダー１１、１１’それぞれ圧縮と吸気行程を完了した後、給排気弁２は引き続き逆時計方向に回転し、給排気弁２の回転態様は、図８に示される理由は、主にシリンダー１１の給排気口１２とシリンダー１１’の給排気口１２’はそれぞれ給排気弁２の外壁に遮られているため、シリンダー１１、１１’の密閉態様を形成する。
【００４０】
引き続き、図１０、本発明の吸排気弁によるシリンダー燃焼、圧縮行程制御を示す図を参照する。シリンダー１１の内部にて、ピストン３１が下向きに空気を所定の行程に圧縮された後、ただちにシリンダー１１の内部にガソリンベーパーを直接噴射し、シリンダー１１内部で混合されたガソリンベーパーを一瞬に点火燃焼し、ピストン３１と押し棒３０がシリンダー１１にて上向きに押し込むと同時に、シリンダー１１、１１’内部に対応するピストン３１と押し棒３０は下向きにシリンダー１１’内部の空気を圧縮する。これにより、十字型回転ロッキングアーム３２が押し棒３０、３０’を介して、それぞれ上向きと下向きに押し込んで揺動すると共に、十字型回転ロッキングアーム３２の揺動と合わせて、それぞれクランクジャーナル３３とギヤ組３４とを駆動し、クランクジャーナル３３によって、往復運動を回転運動に変えて回転エネルギーを形成し、一方、ギヤ組３４は給排気弁２のコンロッド２２を連動し、給排気弁２を逆時計方向に３６０度を回転する。前述押し棒３０、３０’による十字型回転ロッキングアーム３２と、クランクジャーナル３３と、ギヤ組３４と、給排気弁２との連動方式は前述に同じため、ここでの説明を省略する。
【００４１】
図４、５Ａ、５Ｂ、１１と１２、本発明の吸排気弁による空気吸入、排気行程制御を示す図と、図４による機関作動の正面図と、本発明の吸排気弁によるシリンダー排気、燃焼行程制御を示す図と、図１１による機関作動の正面図とを参照する。シリンダー１１、１１’それぞれが燃焼と圧縮行程を完了した後、給排気弁２は引き続き逆時計方向に回転し、給排気弁２の回転態様は、図１１に示される理由は、主にシリンダー１１の給排気口１２は給排気弁２の空気出口２１とベース１の空気出力穴１４に連絡されている一方、シリンダー１１’内部の給排気口１２’は給排気弁２の外壁に遮られているため、シリンダー１１’の密閉態様を形成する。
【００４２】
引き続き、図１２による機関作動の正面図を参照する。シリンダー１１内部の爆発後の廃ガスは順を追って、給排気口１２、給排気弁２の空気出口２１及びベース１の空気出口１４を通過して排出され（すなわち、排気行程）、ピストン３１と押し棒３０がシリンダー１１内部にて下向きに押し込み、一方、シリンダー１１’内部のピストン３１’は下向きに空気を所定の行程に圧縮した後、シリンダー１１’内部にてガソリンベーパーを直接に噴射し、シリンダー１１’内部で混合されたガソリンベーパーを一瞬に点火燃焼させ、ピストン３１’と押し棒３０’はシリンダー１１’内部にて上向き押し込む。これにより、十字型回転ロッキングアーム３２は押し棒３０、３０’を介して、それぞれ下向きにと上向きに押し込むことにより揺動し、かつ十字型回転ロッキングアーム３２が揺動すると共にそれぞれクランクジャーナル３３とギヤ組３４を駆動し、クランクジャーナル３３によって、往復運動を回転運動に変えて回転エネルギーを形成し、ギヤ組３４は給排気弁２に連結するコンロッド２２を連動し、給排気弁２を逆時計方向に３６０度を回転させる。前述押し棒３０、３０’による十字型回転ロッキングアーム３２と、クランクジャーナル３３と、ギヤ組３４及び給排気弁２の連動方式は前述に同じため、ここでの説明を省略する。
【００４３】
最後に、シリンダー１１、１１’がそれぞれ排気と燃焼行程を完了した後、給排気弁２は継続に回転し、給排気弁２の回転態様は前述図４にされる理由は、主に給排気弁２の空気入口２０と空気出口２１が再びそれぞれシリンダー１１の給排気口１２と、シリンダー１１’の給排気口１２’と向き合うことによって、シリンダー１１が吸気行程を再開し、シリンダー１１’内部の爆発後の廃ガスは順を追って、シリンダー１１’の給排気口１２’と、給排気弁２の空気出口２１と、ベース１の空気出口１４とを通過して排出する。機関は図５Ａと５Ｂに示すように稼働される。
【００４４】
以上の説明から、本発明は単純な機関構造を利用し、給排気弁２によって、シリンダー１１、１１’に吸気と排気行程を実行させ、本発明のシリンダー１１が順を追って、吸気、圧縮、燃焼、排気４つの行程を行い、シリンダー１１’はシリンダー１１と合わせて順を追って、排気、吸気、圧縮、燃焼４つの行程を行い、機関の吸気、圧縮、燃焼、排気４つの行程の循環作動を達成することによって、回転エネルギーを形成する。
【実施例２】
【００４５】
図１３、１４、本発明によるシリンダー圧縮比制御を示す図と、シリンダーに点火プラグを取り付けることを示す図とを参照する。図１３から分かるように、シリンダー１１、１１’の圧縮比を制御するため、使用者は固定棒４０と受け台１６とを取り付けるとき、固定棒４０と受け台１６の直方向長さを適度に選択し、順を追ってクランクジャーナル３３と、十字型回転ロッキングアーム３２と、押し棒３０、３０’が上板４と間接的に連結するピストン３１、３１’はそれぞれシリンダー１１、１１’内部の制限高さＤ（そのうち、制限高さＤは固定棒４０と受け台１６の直方向長さによって改変される）に納めることによって、シリンダー１１、１１’に多種の圧縮比を持たせて、機関を実施例１のようにディゼールエンジン油を適用できるほか、同じの機関構造をガソリン燃料に適用することもできる。
【００４６】
図１４に示すように、本発明のシリンダー１１、１１’でガソリン燃料を使用する場合は、シリンダー１１、１１’の内部にそれぞれ点火プラグ１１０、１１０’を取り付けて、シリンダー１１または１１’の圧縮行程において、点火プラグ１１０または１１０’によって、シリンダー１１または１１’内部の混合ガソリンベーパーを点火して、圧縮後の燃焼行程を実行する。
【００４７】
本発明に例示する２つのシリンダー１１、１１’によって、吸気、圧縮、燃焼、排気４つの行程の循環動作のほか、シリンダー１１、１１’は給排気弁２を中心として相互に輪状配置する。さらに、前述駆動ギヤ３４５の回転数を作動ギヤ３４６の２倍以上とする。すなわち、ギヤ組３４によって、クランクジャーナル３３または十字型回転ロッキングアーム３２と給排気弁２との間の回転速度比値を≧２倍以上に制御できる。
【符号の説明】
【００４８】
１                ベース
１０            吸排気溝
１１            シリンダー
１１０        点火プラグ
１１’        シリンダー
１１０’    点火プラグ
１２            吸排気口
１２’        吸排気口
１３            空気入力穴
１４            空気排出穴
１５            締め付け具
１６            受け台
１６０        通り穴
１６０’    通り穴
１６１        軸受穴
１６１’    軸受穴
１６２        ベースプレート
１６３        滑り軸受
１７            ワッシャ
２                吸排気弁
２０            空気入口
２１            空気出口
２２            コンロッド
２３            軸受
３                駆動装置組
３０            押し棒
３０’        押し棒
３１            ピストン
３１’        ピストン
３２            十字型回転ロッキングアーム
３２０        管体
３２０１    収容空間
３２０１’ 収容空間
３２０２    通気孔
３２０２’ 通気孔
３２１        支軸
３２１’    支軸
３２２        枢軸
３２２’    枢軸
３２３        第１案内棒
３２４        第２案内棒
３３            クランクジャーナル
３３０        縦棒
３３１        横棒
３３２        第１傾斜棒
３３３        第１ころ軸受
３３４        第１開口部
３４            ギヤ組
３４０        収容空間
３４１        板部材
３４２        上部ギヤ
３４３        下部ギヤ
３４４        回転軸
３４４’    回転軸
３４５        駆動ギヤ
３４６        作動ギヤ
３４７        第２傾斜棒
３４８        第２ころ軸受
３４９        第２開口部
４                上板
４０            固定棒
４１            軸受
４２            ナット
Ｄ                制限高さ
【図１Ａ】
2014088777.tif 000003
【図１Ｂ】
2014088777.tif 000004
【図２】
2014088777.tif 000005
【図３】
2014088777.tif 000006
【図４】
2014088777.tif 000007
【図５Ａ】
2014088777.tif 000008
【図５Ｂ】
2014088777.tif 000009
【図６】
2014088777.tif 000010
【図７】
2014088777.tif 000011
【図８】
2014088777.tif 000012
【図９】
2014088777.tif 000013
【図１０】
2014088777.tif 000014
【図１１】
2014088777.tif 000015
【図１２】
2014088777.tif 000016
【図１３】
2014088777.tif 000017
【図１４】
2014088777.tif 000018